(57)【要約】      （修正有）【課題】生産コストを低減できる可動装置のロック機構とそれを用いた可動装置を提供する。【解決手段】ロック機構は、可動装置を保持する第一ねじりスプリング８１と、第１ケーシング８２を備える第一接続アセンブリと、スイッチとを備え、第一ねじりスプリングの一端が第１ケーシングの第１開口内に係止されて第一接続アセンブリと固定され、第一ねじりスプリングの他端がスイッチと固定される。スイッチが回転すると、第一ねじりスプリングがねじられ、第一ねじりスプリングの内孔直径が大きくなり、可動装置のロックが解除される。【選択図】図２
0003226302.tif 000002
【実用新案登録請求の範囲】
【請求項１】
可動装置のロック機構であって、
可動装置を保持する第一ねじりスプリングと、
第一接続アセンブリと、第一ねじりスプリングの一端が第一接続アセンブリと固定され、
第一ねじりスプリングの他端と固定されたスイッチと、を備え、
スイッチが回転すると、第一ねじりスプリングがねじられ、第一ねじりスプリングの内孔直径が大きくなり、可動装置のロックが解除される、ことを特徴とする、
可動装置のロック機構。
【請求項２】
前記ロック機構は、さらに、
可動装置を保持する第二ねじりスプリングと、
第二接続アセンブリと、を備える、
第二ねじりスプリングの一端が第二接続アセンブリと固定され、
第二ねじりスプリングの他端がスイッチと固定され、スイッチが回転すると、第二ねじりスプリングがねじられ、第二ねじりスプリングの内孔直径が大きくなり、それによって可動装置をロック解除する、ことを特徴とする、
請求項１に記載のロック機構。
【請求項３】
第一接続アセンブリは、
可動装置に嵌着された第一ケ−シングと、
第一ケ−シングと固定接続された第一固定シ−トと、を備える、ことを特徴とする、
請求項１に記載のロック機構。
【請求項４】
第一固定シ−トは、本体およびケ−スを備え、本体はケ−スと固定され、第一ケ−シングはケ−スと固定される、ことを特徴とする、
請求項３に記載のロック機構。
【請求項５】
第二接続アセンブリは、
可動装置に嵌着された第二ケ−シングと、
第二ケ−シングと固定接続された第二固定シ−トと、を備える、ことを特徴とする、
請求項２に記載のロック機構。
【請求項６】
第一ねじりスプリングと第二ねじりスプリングの回転方向は、逆である、ことを特徴とする、
請求項２に記載のロック機構。
【請求項７】
可動装置は、直線運動装置または回転運動装置である、ことを特徴とする、
請求項１〜６のいずれか一項に記載のロック機構。
【請求項８】
可動装置であって、可動装置上に請求項１〜７のいずれか一項に記載のロック機構が設けられる、ことを特徴とする、
可動装置。
【請求項９】
前記可動装置は、常時開状態のガススプリングである、ことを特徴とする、
請求項８に記載の可動装置。
【考案の詳細な説明】
【技術分野】
【０００１】
本考案は、可動装置のロック機構および可動装置に関する。
【背景技術】
【０００２】
テ−ブルは、生活必需品として、生活、仕事および学校でよく使われ、一般的なテ−ブルは、通常、テ−ブルトップとレッグで固定接続され、レッグの長さも固定され、それによりテ−ブルトップ全体の高さが固定されて調整不可能になる。様々な適用環境、および様々な人々のニ−ズに応じて、テ−ブルの高さ、自動化、快適性への要件がますます高くなっている。
【０００３】
ガススプリングを用いてテ−ブルのレッグ支持面として、テ−ブルの下面にはガススプリングの開閉を制御する制御アセンブリが取り付けられるものがあり、該制御アセンブリは、ケ−ブルなどによって１つの接続アセンブリ上のケ−ブルコネクタに接続され（ケ−ブルコネクタは接続アセンブリにヒンジ接続される）、該ケ−ブルコネクタの他端は、ガススプリングのスイッチに当接し、テ−ブルを昇降させる必要がある場合、使用者は制御アセンブリを制御することによってケ−ブルを介して動力を伝達してケ−ブルコネクタを回転させることにより、ガススプリングのスイッチをオンにし、それによって、ガススプリングは、使用者のニ−ズに応じて昇降する。
【０００４】
従来技術における昇降テ−ブルに使用されるガススプリングはすべてセルフロックガススプリングであり、すなわち、ガススプリングを作動させる必要がある場合、使用者は制御アセンブリを制御することによってケ−ブルを介してケ−ブルコネクタを回転させ、それによってガススプリング内部のスイッチを開き、使用者のニ−ズに応じてガススプリングを上昇または下降させる。ガススプリング内部のスイッチ構造が複雑であるため、ガススプリングの製造コストが高くなり、かつ、ガススプリング内にスイッチが配置され、スイッチが空間の一部を占める必要があり、ガススプリングのストロ−クを短くする。
【考案の概要】
【０００５】
本考案の目的は、可動装置のロック機構および可動装置を提供することであり、本考案は、可動装置の生産コストの低減に役立つ利点がある。
上記技術的問題を解決する技術的解決手段は、以下のとおりである、
可動装置のロック機構は、
可動装置を保持する第一ねじりスプリングと、
第一接続アセンブリと、第一ねじりスプリングの一端が第一接続アセンブリと固定され、
第一ねじりスプリングの他端と固定されたスイッチと、を備える、
スイッチが回転すると、第一ねじりスプリングがねじられ、第一ねじりスプリングの内孔直径が大きくなり、可動装置のロックが解除される。
可動装置であって、可動装置上に、請求項１〜５のいずれか一項に記載のロック機構が設けられる。
【０００６】
本考案が作動しているとき、ロック解除機構はロック機構を駆動してロック機構内のスイッチを回転させ、それによって第一ねじりスプリングがねじられ、第一ねじりスプリングの内孔直径が大きくなり、それによって可動装置をロック解除する。動力出力部のロックが解除された後、可動装置はそれに接続された部品を移動させるように自由に移動することができる。本考案は、可動装置を制御しやすくなるようにロック機構によって可動装置をロックし、可動装置の内部にスイッチを設定することなく常に開いている可動装置を採用するため、可動装置の構造が単純化され、その製造コストは従来のモバイルデバイスのコストより低い。
【図面の簡単な説明】
【０００７】
【図１】図１は本考案における可動装置とロック機構との組み立て概略図である。
【図２】図２は図１に基づいて一部の部品を隠した後の構造図である。
【図３】図３は図１に基づいて一部の部品を隠した後の構造図である。
【考案を実施するための形態】
【０００８】
図１〜図３に示すとおり、可動装置３０は、直線運動装置または回転運動装置であり、本実施例では、可動装置３０は好ましくは直線運動装置を採用し、該直線運動装置は常時開状態のガススプリングである。可動装置３０の動力出力部３１上にロック機構８０が取り付けられ、動力出力部３１は、可動装置３０のシリンダ部でもよいし、可動装置３０のピストンロッド部でもよく、本実施例において、動力出力部３１は好ましくは可動装置３０のシリンダ部を採用し、すなわち、シリンダ部は可動部であり、ピストンロッド部は固定部である。ロック機構８０は可動装置の動力出力部３１の変位を制限し、前記ロック機構８０は、第一ねじりスプリング８１、第一接続部材、およびスイッチ８５を備え、第一ねじりスプリング８１は可動装置３０の動力出力部３１を保持する。
【０００９】
図１〜図３に示すとおり、第一ねじりスプリング８１の一端８１ａは第一接続アセンブリと固定され、第一接続アセンブリは、第一ケ−シング８２、および第一固定シ−トを備え、第一ケ−シング８２は可動装置３０の動力出力部３１上に嵌着され、第一ケ−シング８２の一端に第一開口が設けられ、前記第一ねじりスプリング８１の一端８１ａは該第一開口内に係止される。第一固定シ−トは第一ケ−シング８２と固定接続され、第一固定シ−ト８３は固定部材（図示せず）に接続され、第一固定シ−トは、本体８３およびケ−ス８４を備え、本体８３はケ−ス８４と固定され、第一ケ−シング８２はケ−ス８４と固定される。第一固定シ−トはまた本体８３のみを備えることができ、本体８３は第一ケ−シング８２と直接固定される。
【００１０】
図１〜図３に示すとおり、スイッチ８５は、第一ねじりスプリング８１の他端８１ｂと固定され、スイッチ８５が回転すると、第一ねじりスプリング８１がねじられ、可動装置３０の動力出力部３１をロック解除するように第一ねじりスプリング８１の内孔直径が大きくなる。
【００１１】
図１〜図３に示すとおり、前記ロック機構８０は、さらに、第二ねじりスプリング８６、および第二接続アセンブリを備え、第二ねじりスプリング８６は可動装置３０の動力出力部３１を保持し、第二ねじりスプリング８６の一端８６ａは第二接続アセンブリと固定され、第二ねじりスプリング８６の他端８６ｂはスイッチ８５と固定され、スイッチ８５が回転すると、第二ねじりスプリング８６がねじられ、可動装置３０の動力出力部３１をロック解除するように第二ねじりスプリング８６の内孔直径が大きくなる。第一ねじりスプリング８１と第二ねじりスプリング８６の回転方向が逆であり、このようにして同じスイッチ８５によって第一ねじりスプリング８１と第二ねじりスプリング８６を同時に開くことができ、リセット時に同時にリセットすることができる。
【００１２】
図１〜図３に示すとおり、第二接続アセンブリは、第二ケ−シング８７、および第二固定シ−ト８３ａを備え、第二ケ−シング８７は可動装置３０の動力出力部３１上に嵌着され、第二ケ−シング８７の一端に第二開口が設けられ、前記第二ねじりスプリング８６の一端は該第二開口内に係止される。第二固定シ−ト８３ａは第二ケ−シング８７と固定接続され、第二固定シ−ト８３ａは固定部材（図示せず）と接続され、第二固定シ−ト８３ａは前記ケ−ス８４上に嵌着され、かつケ−ス８４と固定される。
【００１３】
図１〜図３に示すとおり、ロック解除機構１００は可動装置３０の可動出力部３１と協働するようにロック機構８０を駆動し、ロック解除機構１００はロック機構８０と接続される。ロック解除機構１００はプラテン機構およびケ−ブルを備え、プラテン機構はケ−ブルの一端と接続され、プラテン機構の他端は前記スイッチ８５と接続され、プラテン機構によりケ−ブルを移動させ、ケ−ブルによりスイッチ８５を回転させ、それによって、第一ねじりスプリング８１と第二ねじりスプリング８６がねじられ、可動装置３０の動力出力部３１をロック解除する。
【００１４】
本考案は、上記実施例に限定されるものではなく、例えば、可動装置３０が直線運動装置である場合、直線運動装置はシリンダ、油圧シリンダ等の装置を採用することができる。可動装置３０が回転運動装置である場合、可動装置３０は、例えば、環状部材、または歯車等であってもよく、この場合、ロック機構は円弧状になることができる。
【符号の説明】
【００１５】
３０−可動装置、
８０−ロック機構、８１−第一ねじりスプリング、８１ａ−一端、８１ｂ−他端、８２−第一ケ−シング、８３−本体、８３ａ−第二固定シ−ト、８４−ケ−ス、８５−スイッチ、８６−第二ねじりスプリング、８６ａ−一端、８６ｂ−他端、８７−第二ケ−シング、
１００−ロック解除機構。
【図１】
0003226302.tif 000003
【図２】
0003226302.tif 000004
【図３】
0003226302.tif 000005